(57)【要約】【課題】飲料入りの容器を傾斜させた状態で、より多く迅速に冷却することができる容器支持トレーを提供すること。【解決手段】縦型の容器９を傾斜させた状態で保管及び陳列するため冷蔵庫１００の内部に配置される容器支持トレー１は、トレー本体１０と、トレー本体１０の上面に形成され所定の角度で傾斜する傾斜部２０と、傾斜部２０の下端部に配置されトレー本体１０の上面から上方に起立する起立部５０と、傾斜部２０の下端部に形成されトレー本体１０を厚さ方向に貫通する貫通孔４０と、を備える。【選択図】図３
2015221162.tif 000002
【特許請求の範囲】
【請求項１】
縦型の容器を傾斜させた状態で保管及び陳列するため冷蔵庫の内部に配置される容器支持トレーであって、
トレー本体と、
前記トレー本体の上面に形成され所定の角度で傾斜する傾斜部と、
前記傾斜部の下端部に配置され前記トレー本体の上面から上方に起立する起立部と、
前記傾斜部の下端部に形成され前記トレー本体を厚さ方向に貫通する貫通孔と、を備える容器支持トレー。
【請求項２】
前記傾斜部は、
前記容器の形状に対応する形状に形成されると共に前記傾斜部の傾斜方向に直交する方向に並んで設けられる複数の容器配置部と、
隣り合う２つの前記容器配置部の間に設けられる区画部と、を備える請求項１に記載の容器支持トレー。
【請求項３】
前記傾斜部は、該傾斜部の傾斜方向に複数列に配置され、
隣り合って配置される２つの前記傾斜部における前記複数の容器配置部は、前記傾斜方向視においてずれて配置される請求項１又は２に記載の容器支持トレー。
【請求項４】
前記複数列の前記傾斜部は、
上端部が前記トレー本体の上面の前縁側に位置する前側傾斜部と、
下端部が前記トレー本体の上面の奥縁側に位置する奥側傾斜部と、を備え、
前記奥側傾斜部における前記容器配置部の数は、前記前側傾斜部における前記容器配置部の数よりも少ない請求項３に記載の容器支持トレー。
【請求項５】
前記複数列の前記傾斜部は、
上端部が前記トレー本体の上面の前縁側に位置する前側傾斜部と、
下端部が前記トレー本体の上面の奥縁側に位置する奥側傾斜部と、を備え、
前記前側傾斜部における前記容器配置部の数は、前記奥側傾斜部における前記容器配置部の数よりも少ない請求項３に記載の容器支持トレー。
【請求項６】
前記傾斜部の上端側に配置され前記トレー本体の上面から上方に延びて前記容器の上部を支持する上部支持部を更に備える請求項１〜５のいずれかに記載の容器支持トレー。
【請求項７】
前記トレー本体は、底面が開口した中空形状に形成される請求項１〜６のいずれかに記載の容器支持トレー。
【請求項８】
前記傾斜部の傾斜角度は、前記トレー本体の下端縁に対して１５度〜３０度の角度である請求項１〜７のいずれかに記載の容器支持トレー。
【発明の詳細な説明】
【技術分野】
【０００１】
本発明は、容器支持トレーに関する。具体的には、冷蔵庫の内部に飲料等の容器を傾斜させた状態で収容させるための容器支持トレーに関する。
【背景技術】
【０００２】
従来、飲料等は、冷蔵庫等で冷却されると共に、飲料が入った容器が見えるように陳列されて販売されている。販売の際には、容器の側面に付されたラベル等の表示が視認しやすいことが求められる。このため、容器を傾斜させた状態で陳列することが提案されている（例えば、特許文献１参照）。
【先行技術文献】
【特許文献】
【０００３】
【特許文献１】特開２０１０−２６６１５２号公報
【発明の概要】
【発明が解決しようとする課題】
【０００４】
しかしながら、特許文献１の発明では、冷蔵庫の下段では容器が立てて収容されることで予冷され、冷蔵庫の上段にのみ容器が傾斜させて配置されている。このため、傾斜させた状態で販売できる飲料の本数が少ない。容器を立てた状態で冷却すると、容器と容器の間の空間が狭くなる。また、冷却機構から遠い位置に配置される容器も存在するので、販売に適する温度になるまでに時間がかかる。特許文献１の発明では、販売に適した温度で冷却及び陳列できる飲料の本数が限定されている。
【０００５】
飲料の売れ行きが良い場合には、即時に販売できる状態の飲料が多く必要となる。また、飲料を販売可能な温度まで迅速に冷却することが望まれている。
【０００６】
本発明は、飲料入りの容器を傾斜させた状態で、より多く迅速に冷却することができる容器支持トレーを提供することを目的とする。
【課題を解決するための手段】
【０００７】
（１）  本発明の容器支持トレーは、縦型の容器を傾斜させた状態で保管及び陳列するため冷蔵庫の内部に配置される容器支持トレーであって、トレー本体と、前記トレー本体の上面に形成され所定の角度で傾斜する傾斜部と、前記傾斜部の下端部に配置され前記トレー本体の上面から上方に起立する起立部と、前記傾斜部の下端部に形成され前記トレー本体を厚さ方向に貫通する貫通孔と、を備える。
【０００８】
（２）  前記傾斜部は、前記容器の形状に対応する形状に形成されると共に前記傾斜部の傾斜方向に直交する方向に並んで設けられる複数の容器配置部と、隣り合う２つの前記容器配置部の間に設けられる区画部と、を備えることが好ましい。
【０００９】
（３）  前記傾斜部は、該傾斜部の傾斜方向に複数列に配置され、隣り合って配置される２つの前記傾斜部における前記複数の容器配置部は、前記傾斜方向視においてずれて配置されることが好ましい。
【００１０】
（４）  前記複数列の前記傾斜部は、上端部が前記トレー本体の上面の前縁側に位置する前側傾斜部と、下端部が前記トレー本体の上面の奥縁側に位置する奥側傾斜部と、を備え、前記奥側傾斜部における前記容器配置部の数は、前記前側傾斜部における前記容器配置部の数よりも少ないことが好ましい。
【００１１】
（５）  前記複数列の前記傾斜部は、上端部が前記トレー本体の上面の前縁側に位置する前側傾斜部と、下端部が前記トレー本体の上面の奥縁側に位置する奥側傾斜部と、を備え、前記前側傾斜部における前記容器配置部の数は、前記奥側傾斜部における前記容器配置部の数よりも少ないことが好ましい。
【００１２】
（６）  前記傾斜部の上端側に配置され前記トレー本体の上面から上方に延びて前記容器の上部を支持する上部支持部を更に備えることが好ましい。
【００１３】
（７）  前記トレー本体は、底面が開口した中空形状に形成されることが好ましい。
【００１４】
（８）  前記傾斜部の傾斜角度は、前記トレー本体の下端縁に対して１５度〜３０度の角度であることが好ましい。
【発明の効果】
【００１５】
本発明によれば、飲料入りの容器を傾斜させた状態で、より多く迅速に冷却することができる容器支持トレーを提供することが可能である。
【図面の簡単な説明】
【００１６】
【図１】第１実施形態の冷蔵庫を示す正面図である。
【図２】第１実施形態の収容容器を示す斜視図である。
【図３】第１実施形態の容器支持トレーを示す斜視図である。
【図４】第１実施形態の容器支持トレーを示す正面図である。
【図５】第１実施形態の容器支持トレーを示す側面図である。
【図６】図２のＡ−Ａ線断面図である。
【図７】図２のＢ−Ｂ線断面図である。
【図８】第１実施形態の容器支持トレーの使用の状態を示す斜視図である。
【図９】第１施形態の容器支持トレーが冷蔵庫に収容された状態を示す側面の概略図である。
【図１０】第２実施形態の容器支持トレーを示す正面図である。
【発明を実施するための形態】
【００１７】
以下、本発明の容器支持トレー１の好ましい実施形態について、図面を参照しながら説明する。まず、第１実施形態に係る容器支持トレー１が収容される冷蔵庫１００及び収容容器８０について、図１及び図２を参照しながら説明する。図１は、第１実施形態の冷蔵庫を示す正面図である。説明の便宜のため、内部に収容した収容容器８０の一つを引き出した状態で示している。図２は、収容容器８０を示す斜視図である。
【００１８】
冷蔵庫１００は、図１に示すように、冷蔵庫本体１０１と、収容容器８０と、容器支持トレー１と、を有する。なお、本明細書における「冷蔵庫」とは、冷凍温度で冷却したり、飲料を過冷却したりするものも含む。
【００１９】
冷蔵庫本体１０１は、前面（一の側面）が開放された直方体の形状であり、本体部開口１１１と、物品収容部１１２と、扉１１３と、コンプレッサ１１４と、冷媒管１１５と、を有する。
本体部開口１１１は、冷蔵庫本体１０１の前面に形成される長方形の開口部である。
物品収容部１１２は、冷蔵庫により冷蔵する物品を収容する。この物品収容部１１２は、上下方向に複数段に区画されている。本実施形態では、物品収容部１１２は、上下方向に４段に区画されている。
扉１１３は、本体部開口１１１を開閉し、冷蔵庫本体１０１を密閉又は開放する厚板状の形状を有する。
コンプレッサ１１４は、冷蔵庫本体１０１の下方の奥側Ｒに配置され、熱交換を行う冷媒を圧縮するものである。
冷媒管１１５は、コンプレッサ１１４から延び、物品収容部１１２のそれぞれの上下に配置されている。冷媒管１１５では、内部に冷媒が流通する。
【００２０】
収容容器８０は、図２に示すように、上部が開口した箱型の形状を有する。収容容器８０は、物品収容部１１２に配置され、前後に引き出し及び押し入れ可能である。本実施形態では、収容容器８０は、４つに区画された物品収容部１１２のうちの上部の３段に配置される。収容容器８０は、底面部８１と、前壁８２と、奥壁８３と、一対の側壁８４と、を有する。
前壁８２、奥壁８３及び一対の側壁８４は、底面部８１から上方に起立している。前壁８２は、収容容器８０の前面に配置され、奥壁８３は、前壁８２に対向して配置されている。一対の側壁８４は、前壁８２及び奥壁８３に略直交する方向に延びている。
【００２１】
取手部８５は、収容容器８０の前壁８２の略中央部に配置され、前壁８２の一部が奥側Ｒに向かって凹んで形成されている。
以上の収容容器８０は、前壁８２が本体部開口１１１側（前側Ｆ）に位置するように物品収容部１１２に収容される。
【００２２】
次に、図３〜図７を参照して、容器支持トレー１について説明する。図３は、容器支持トレー１を示す斜視図である。図４は、容器支持トレー１を示す正面図である。図５は、容器支持トレー１を示す側面図である。図６は、図３のＡ−Ａ線断面図であり、図７は、図３のＢ−Ｂ線断面図である。
【００２３】
容器支持トレー１は、収容容器８０の内部に配置され、飲料等を充填した縦型の容器９を傾斜させた状態で保管及び陳列する台である。本明細書において、容器支持トレー１を冷蔵庫１００に収容した状態における奥側Ｒと前側Ｆを、それぞれ容器支持トレー１の奥側Ｒ及び前側Ｆと称する。
【００２４】
容器支持トレー１は、図３及び図４に示すように、トレー本体１０と、傾斜部２０と、上部支持部３０と、貫通孔４０と、起立部５０と、を有する。容器支持トレー１は、樹脂により全体が一体に形成されている。
【００２５】
トレー本体１０は、図３に示すように、所定の厚さを有し、図４に示すように、正面視で概ね四角形をしている。トレー本体１０は、切欠き１１と、下端縁１２とを有する。
切欠き１１は、トレー本体１０の前側Ｆに位置する一方の辺が内側に切り欠かれて形成される。
下端縁１２は、トレー本体１０の下端の縁であり、容器支持トレー１を置く面に接するように略水平方向に延びている。
トレー本体１０は、上面が表側となり、裏側となる底面は、開口した中空形状に形成されている。すなわち、トレー本体１０を裏返すと、表面側へ向かって窪む凹部を形成するように形成されている。
【００２６】
傾斜部２０は、トレー本体１０の上面に形成される。図５に示すように、傾斜部２０は、トレー本体１０の下端縁１２に対して１５度〜３０度の傾斜角度θで傾斜する面により構成される。傾斜部２０は、トレー本体１０に容器９を載置した状態で容器９の下端部から上端部までの距離を短くする観点から、１８度〜２５度の傾斜角度θを有することが更に好ましい。
【００２７】
傾斜部２０は、容器配置部２１と、区画部２２と、前側傾斜部２３と、奥側傾斜部２４と、を有する。傾斜部２０は、傾斜方向Ｄに沿って複数列配置されている。
容器配置部２１は、図６及び図７に示すように、容器９の形状に対応する形状に形成されており、略円筒状の飲料の容器９に対応して断面視が弧状の湾曲した曲面を有する。容器配置部２１は、複数が隣り合い、傾斜部２０の傾斜する方向に直交する方向に並んで配置されている。
区画部２２は、隣り合う容器配置部２１と容器配置部２１との間に設けられ、傾斜方向Ｄに沿って真っ直ぐに延びている。区画部２２は、隣り合う容器配置部２１同士の湾曲面におけるもっとも上端部側の間に配置されている。
【００２８】
前側傾斜部２３は、図３及び図４に示すように、トレー本体１０の前側Ｆに容器配置部２１及び区画部２２が複数配置されることで構成される。前側傾斜部２３の上端部は、トレー本体１０の上面の前縁側に位置している。前側傾斜部２３には、容器配置部２１が５本分互いに隣接して配置されている。図６に示すように、前側傾斜部２３では、区画部２２の下面において、下方に補強リブ２２ａが形成されており、前側傾斜部２３の裏側は中空の空間が形成されている。
【００２９】
奥側傾斜部２４は、図３及び図４に示すように、トレー本体１０の奥側Ｒに容器配置部２１及び区画部２２が複数配置されることで構成される。奥側傾斜部２４の下端部は、トレー本体１０の上面の奥縁側に位置している。奥側傾斜部２４には、容器配置部２１が４本分互いに隣接して配置されている。奥側傾斜部２４における容器配置部２１の数は、前側傾斜部２３における容器配置部２１の数よりも少ない。奥側傾斜部２４は、図５に示すように、容器９を前側及び奥側に載置した際に、容器９が上下に重なるように配置され、具体的には、奥側傾斜部２４の最下端部は、前側傾斜部２３の最下端部より上方側に位置している。
【００３０】
奥側傾斜部２４では、図３及び図４に示すように、前側傾斜部２３に配置されている容器配置部２１と容器配置部２１との間で、その奥側Ｒに容器配置部２１が配置されている。すなわち、奥側傾斜部２４における容器配置部２１は、前側傾斜部２３における容器配置部２１と互い違いになるように配置されており、傾斜方向Ｄから見た状態でずれて配置されている。図７に示すように、奥側傾斜部２４では、容器配置部２１の最も下方に湾曲した下端部の裏側に、補強リブ２１ａが形成されており、奥側傾斜部２４の裏側は中空の空間が形成されている。
【００３１】
貫通孔４０は、図４に示すように、傾斜部２０における容器配置部２１の下端部に、それぞれ一つずつ形成されている。貫通孔４０は、トレー本体１０の厚さ方向に貫通して形成されている。貫通孔４０は、容器９の下端部の少なくとも一部が係合可能な大きさを有して形成される。
【００３２】
上部支持部３０は、傾斜部２０の上端部側に配置され、容器配置部２１及び区画部２２の前側Ｆにおける上端から上方に延びている。図５に示すように、上部支持部３０は、所定の角度で傾斜して延びる傾斜部２０の上端部から、上方に屈曲して延びている。
【００３３】
起立部５０は、図５に示すように、傾斜部２０の下端部に配置され、トレー本体１０の上面から上方に起立している壁状の部分である。起立部５０は、前側傾斜部２３の下端部と、奥側傾斜部２４の下端部に形成され、奥側傾斜部２４の下端部に形成される起立部５０は、トレー本体１０の奥壁を構成する。起立部５０は、容器９を容器配置部２１に配置したときに、容器９の底面の一部を支持する。
【００３４】
図８は容器支持トレー１の使用の状態を示す斜視図である。図８に示すように、以上の容器支持トレー１には、飲料を充填した容器９が載置される。
容器９は、５００ｍｌの飲料入りのペットボトルである。容器９は、容器本体９１と、蓋部９２と、示温シール９３と、を有する。
容器本体９１は、上部に開口を有する。
蓋部９２は、容器本体９１の開口を塞ぐものである。
示温シール９３は、容器９内の温度を示すものであり、販売に適した温度になると所定の色に変化する。示温シール９３は、容器９の高さ方向における１／２よりも下側に貼付されている。
【００３５】
図９は、容器支持トレー１が冷蔵庫１００に収容された状態を示す側面の概略図である。図８及び図９を参照して、容器支持トレー１の使用の態様を説明する。
【００３６】
容器支持トレー１は、予め収容容器８０に収容されている。トレー本体１０の切欠き１１は、収容容器８０の前壁８２から奥側Ｒに凹んで形成される取手部８５の周囲を囲むように配置されており、容器支持トレー１が収容容器８０の内部で動きにくいように構成されている。
【００３７】
まず、冷蔵庫１００の物品収容部１１２に収容された収容容器８０の取手部８５に手を入れて収容容器８０を手前に引き出す。そして、容器支持トレー１の傾斜部２０における容器配置部２１に、それぞれ飲料が充填された容器９を配置する。このとき、容器９の上端部を上部支持部３０に載置し、容器９の下端部を貫通孔４０に位置させるように配置する。容器９の下端部は、起立部５０により支持されて、容器９は安定して傾斜した状態で容器支持トレー１に支持される。また、容器９に貼付した示温シール９３が上側に向くように容器９を載置する。
【００３８】
上部支持部３０は、図５に示すように、傾斜部２０の傾斜角度θと異なる角度で上方に延びているので、上部支持部３０に容器９の上部を支持させると、容器９と傾斜部２０の上面との間に隙間Ｓが形成される（図８参照）。この隙間Ｓにより、容器９の容器配置部２１における上面に対面している側も、冷却された空気に触れ、効率よく冷却される。
【００３９】
容器９の下端部を貫通孔４０に位置させると、容器９の下端部は、容器支持トレー１の下方に位置する収容容器８０の底面部８１に接する。したがって、容器９が、貫通孔４０を設けない場合と比べて、容器９を傾斜させた状態における下端部から上端部までの垂直方向の距離が小さくなる。また、図９に示すように、冷蔵庫１００内の物品収容部１１２と容器９の下端部との間は、貫通孔４０により、トレー本体１０の底面を介さずに収容容器８０の底面部８１のみで仕切られているため、冷却された空気がより直接的に容器９に伝わる。
【００４０】
傾斜部２０は、１５度〜３０度、好ましくは１８度〜２５度の傾斜角度θで傾斜している。このため、容器９が収容容器８０から上方へはみ出ることなく収容されている。そして、収容容器８０は、図９に示すように、冷蔵庫１００に三段収容されている。このため、容器９がより多く収容容器８０に収容されて冷却される。なお、収容容器８０の高さが低いほど、冷蔵庫１００に収容容器８０を多く配置するようにすることができ、ひいては冷却できる容器９の本数が増加する。また、傾斜部２０の傾斜角度θが上記の範囲内であるため、容器９が傾斜しても、容器９に充填された飲料が、容器９の上方の側面から離れない。このため、示温シール９３が正確に容器９内部の温度を示すことができる。
【００４１】
冷蔵庫１００には、図９に示すように、物品収容部１１２の上下に冷媒管１１５が設けられているので、収容容器８０に収容された容器９は、上側からも下側からも冷却される。トレー本体１０の裏側は、中空に形成されているため、下側で流通する冷却された空気が傾斜部２０の裏側を通じて容器９を冷却しやすい。
【００４２】
容器９は、前側傾斜部２３に５本載置され、奥側傾斜部２４に４本載置される。容器９が奥側Ｒと前側Ｆで互い違いに配置されているので、奥側Ｒと前側Ｆの容器９が重なる部分が最小限で済み、容器９の表面が冷却された空気に触れる面積が多い。また、前側Ｆに容器９を多く配置することができるため、容器９が取り出しやすい。
【００４３】
以上説明した第１実施形態の容器支持トレー１によれば、以下のような効果を奏する。
【００４４】
（１）  縦型の容器９を傾斜させた状態で保管及び陳列するため冷蔵庫１００の内部に配置される容器支持トレー１を、トレー本体１０と、トレー本体１０の上面に形成され所定の角度で傾斜する傾斜部２０と、傾斜部２０の下端部に配置される起立部５０と、傾斜部２０の下端部に形成されトレー本体１０を厚さ方向に貫通する貫通孔４０と、を含んで構成した。これにより、容器９の下端部の一部が貫通孔４０の内部に位置し、かつ起立部５０に支持された状態で、傾斜部２０に沿って傾斜する。貫通孔４０は、トレー本体１０の厚さ方向に貫通しているため、容器９の下端部はトレー本体１０の下方に位置する収容容器８０の底面部８１に接する。この姿勢により、容器９が好適に傾き、傾いた状態の容器９の下端部から上端部までの距離が短くなる。更に、容器９の下端部が、トレー本体１０の底面を介さずに、収容容器８０の底面部８１のみを隔てて冷蔵庫１００の内部に配置されるため、冷却効率が向上する。
【００４５】
（２）  傾斜部２０を、容器９の形状に対応する形状に形成すると共に傾斜部２０の傾斜方向Ｄに直交する方向に並んで設けられる複数の容器配置部２１と、隣り合う２つの容器配置部の間に設けられる区画部２２と、を含んで構成した。これにより、複数の容器９を傾斜させた状態で支持することができる。
【００４６】
（３）  傾斜部２０を、傾斜部２０の傾斜方向Ｄに複数列配置した。また、隣り合って配置する２つの傾斜部２０における複数の容器配置部２１を、傾斜方向Ｄ視においてずらして配置した。これにより、容器９の表面が空気に触れる面積を増やすことができる。よって、冷却効率が向上する。
【００４７】
（４）  傾斜部２０を、上端部がトレー本体１０の上面の前縁側に位置する前側傾斜部２３と、下端部がトレー本体１０の上面の奥縁側に位置する奥側傾斜部２４と、を含んで構成した。また、奥側傾斜部２４における容器配置部２１の数を、前側傾斜部２３における容器配置部２１の数よりも少なくした。これにより、容器支持トレー１の前側Ｆに容器９を多く配置できるので、容器９の取り出しが容易になる。
【００４８】
（５）  傾斜部２０の上端側に配置されトレー本体１０の上面から上方に延びて容器９の上部を支持する上部支持部３０を更に含んで構成した。上部支持部３０は傾斜部２０から上方に延びているので、容器９を上部支持部３０に支持させると、容器９の側面が傾斜部の上面から離間する。このため、容器９と傾斜部２０との間に隙間Ｓが形成されて、容器９の側面が冷却された空気に触れる。よって、冷却効率が向上する。
【００４９】
（６）  トレー本体１０を、底面が開口した中空形状に形成した。このため、トレー本体１０の裏面には冷却された空気が存在するので、傾斜部２０の上面に沿って配置されている容器９に冷気が伝わりやすくなる。
【００５０】
（７）傾斜部２０の傾斜角度θを、トレー本体１０の下端縁１２に対して１５度〜３０度の角度に構成した。傾斜角度θがこの範囲であると、容器９を傾斜させて容器支持トレー１に配置したときに、容器９の下端部から上端部までの距離が好適に短くなる。また、容器９に飲料の温度を示す示温シールを貼付した場合に、容器９の上方の側面から離れない位置に飲料が充填されており、示温シール９３が正確に容器９内部の温度を示すことができる。
【００５１】
次に、図１０を参照して第２実施形態の容器支持トレー１Ａについて説明する。図１０は、第２実施形態の容器支持トレー１Ａの正面図である。容器支持トレー１Ａについて説明しない点は、第１実施形態における容器支持トレー１と同様である。
【００５２】
第２実施形態では、容器配置部２１Ａは、奥側傾斜部２４Ａに、前側傾斜部２３Ａよりも多く配置されている。冷蔵庫１００の奥側Ｒは、冷蔵庫本体１０１の本体部開口１１１から遠く、冷蔵庫１００の内壁面により囲まれているので、冷却空気が逃げにくい。このため、奥側傾斜部２４Ａに容器配置部２１Ａを多くすると、多くの容器９を所定の温度までより早く冷却することができる。
【００５３】
以上、本発明の好ましい各実施形態について説明したが、本発明は、上述した各実施形態に制限されるものではなく、適宜変更が可能である。
例えば、上記の実施形態では、容器９は５００ｍｌ入りのペットボトルが用いられているが、これに限られない。容器の容量及び素材は、販売される飲料に応じて適宜変更されてよい。また、上記の実施形態では容器配置部はトレーに対し前側、奥側の２列設けられていたが、例えば冷却する容器の容量が２８０ｍｌ〜３５０ｍｌ入りのペットボトルの場合、容器配置部を前側、中側、奥側の３列に配置することも可能である。また、容器配置部の傾斜面に沿って穴が形成されていてもよい。
【符号の説明】
【００５４】
１      容器支持トレー
９      容器
１０    トレー本体
２０    傾斜部
２１    容器配置部
２２    区画部
２３    前側傾斜部
２４    奥側傾斜部
３０    上部支持部
４０    貫通孔
５０    起立部
１００  冷蔵庫
【図１】
2015221162.tif 000003
【図２】
2015221162.tif 000004
【図３】
2015221162.tif 000005
【図４】
2015221162.tif 000006
【図５】
2015221162.tif 000007
【図６】
2015221162.tif 000008
【図７】
2015221162.tif 000009
【図８】
2015221162.tif 000010
【図９】
2015221162.tif 000011
【図１０】
2015221162.tif 000012